(57)【要約】【課題】本発明は、所定空間に配置される複数の空気調和装置及び複数の照明装置を制御する電気機器制御システムを提供することを目的とする。【解決手段】本発明の電気機器制御システムは、所定空間２に配置される複数の空気調和装置３ａ、３ｂ、３ｃ、３ｄ及び複数の照明装置４ａ、４ｂ、４ｃ、４ｄと、所定空間２における１又は複数の人の位置及び人の数を検知する人検知手段（センサ５）と、人検知手段５により検知される１又は複数の人の位置及び人の数に応じて複数の空気調和装置３ａ、３ｂ、３ｃ、３ｄそれぞれを制御する空気調和装置制御手段（ＣＰＵ６）と、人検知手段５により検知される１又は複数の人の位置及び人の数に応じて複数の照明装置４ａ、４ｂ、４ｃ、４ｄそれぞれを制御する照明制御手段（ＣＰＵ６）と、を備える。【選択図】図１
2008304104.tif 000002
【特許請求の範囲】
【請求項１】
所定空間に配置される複数の空気調和装置及び複数の照明装置と、
前記所定空間における１又は複数の人の位置及び人の数を検知する人検知手段と、
前記人検知手段により検知される前記１又は複数の人の位置及び人の数に応じて前記複数の空気調和装置それぞれを個別に制御する空気調和装置制御手段と、
前記人検知手段により検知される前記１又は複数の人の位置及び人の数に応じて前記複数の照明装置それぞれを個別に制御する照明装置制御手段と、を備える電気機器制御システム。
【請求項２】
前記人検知手段は、前記所定空間に含まれる所定エリアにおける人の位置及び人の数を検知可能であり、
前記空気調和装置制御手段は、前記人検知手段により検知される前記所定エリアにおける人の位置及び人の数により、前記所定エリア及び／又は該所定エリアに隣接するエリアに配置される前記複数の空気調和装置における所定の１又は複数の空気調和装置を制御し、
前記照明装置制御手段は、前記人検知手段により検知される前記所定エリアにおける人の位置及び人の数により、前記所定エリア又は該所定エリアに隣接するエリアに配置される前記複数の照明装置における所定の１又は複数の照明装置を制御する請求項１に記載の電気機器制御システム。
【請求項３】
前記所定空間には、複数の座席が配置され、
前記複数の座席それぞれの位置に関する情報である座席レイアウト情報及び、前記複数の座席それぞれの利用者に関する情報である利用者情報を記憶する記憶手段を更に備え、
前記人検知手段は、前記複数の座席それぞれにおける利用者の着座を検知する着座検知手段を備え、
前記空気調和装置制御手段は、前記着座検知手段により着座が検知された座席における前記座席レイアウト情報及び前記利用者情報に基づいて前記空気調和装置を制御し、
前記照明装置制御手段は、前記着座検知手段により着座が検知された座席における前記座席レイアウト情報に基づいて前記照明装置を制御する請求項１又は２に記載の電気機器制御システム。
【請求項４】
前記所定空間には、複数の機器が更に配置され、
前記記憶手段は、前記複数の機器それぞれの位置に関する情報である機器レイアウト情報及び、前記機器に関する情報である機器情報を記憶し、
前記記憶手段に記憶される前記機器レイアウト情報及び前記機器情報に基づいて、前記空気調和装置からの送風による空気の流れを予測する送風路予測手段と、を備え、
前記送風路予測手段は、前記座席レイアウト情報に基づいて、前記着座検知手段により着座が検知された座席の近傍における前記送風による空気の流れを予測し、
前記空気調和装置制御手段は、前記着座検知手段により着座が検知された座席の近傍における、前記送風路予測手段により予測される前記送風による空気の流れに基づいて、前記空気調和装置を制御する請求項３に記載の電気機器制御システム。
【請求項５】
前記複数の機器は、電気機器を含み、
前記機器レイアウト情報は、前記電気機器の位置に関する電気機器レイアウト情報を含み、
前記機器情報は、前記電気機器の稼動状態に応じた発熱に関する発熱情報を含み、
前記電気機器の稼動状態を検知する稼動状態検知手段と、
前記稼動状態検知手段により検知される前記電気機器の稼動状態、前記電気機器レイアウト情報及び前記発熱情報に基づいて、前記所定空間の全部又は一部における発熱状況を予測可能な熱状況予測手段と、を更に備え、
前記熱状況予測手段は、前記座席レイアウト情報に基づいて、前記着座検知手段により着座が検知された座席の近傍における発熱状況を予測し、
前記空気調和装置制御手段は、前記着座検知手段により着座が検知された座席の近傍における、前記熱状況予測手段により予測される発熱状況に基づいて、前記空気調和装置を制御する請求項４に記載の電気機器制御システム。
【発明の詳細な説明】
【技術分野】
【０００１】
本発明は、所定空間に配置される複数の空気調和装置及び複数の照明装置を制御する電気機器制御システムに関する。
【背景技術】
【０００２】
従来、オフィス等の所定空間における温度及び明るさは、所定の空気調和装置及び照明装置により、該所定空間において人が所定の作業を行うのに適した温度及び明るさに調整されている。しかし、近年の省エネルギーやエネルギーコスト低減の要請から、空気調和装置及び照明装置により使用される電気量を低減させる必要があった。
【０００３】
そこで、室内に配置される照明機器、空調機器及びオフィス機器における総使用電力が所定の基準値以上である場合には、これらの機器の使用を制限することで省電力化を図るシステムが提案されている（例えば、特許文献１参照）。
【特許文献１】特開２００４−３６０９２５号公報
【発明の開示】
【発明が解決しようとする課題】
【０００４】
特許文献１のシステムは、室内に配置される照明機器、空調機器及びオフィス機器における総使用電力を所定の基準値以下に抑制するための制御システムであるため、省電力化を図ることはできても、オフィス環境が所定の作業に適さない状態となる場合がある。ここで、オフィス等においては、省電力化を達成すると共に、オフィス等の環境を所定作業に適した状態にするという課題がある。そして、これらが本発明の課題といってよい。
【０００５】
本発明は、以上のような課題に鑑みてなされたものであり、所定空間に配置される複数の空気調和装置及び複数の照明装置を制御する電気機器制御システムを提供することを目的とする。
【課題を解決するための手段】
【０００６】
発明者らは、上記目的を達成するため、所定空間に配置される複数の空気調和装置及び複数の照明装置を、該所定空間における人の位置及び人の数に基づいて制御することで、省電力化と所定空間の環境を好適に維持することを両立できることを見出し、本発明を完成させた。
【０００７】
（１）  所定空間に配置される複数の空気調和装置及び複数の照明装置と、前記所定空間における１又は複数の人の位置及び人の数を検知する人検知手段と、前記人検知手段により検知される前記１又は複数の人の位置及び人の数に応じて前記複数の空気調和装置それぞれを個別に制御する空気調和装置制御手段と、前記人検知手段により検知される前記１又は複数の人の位置及び人の数に応じて前記複数の照明装置それぞれを個別に制御する照明装置制御手段と、を備える電気機器制御システム。
【０００８】
（１）の発明における電気機器制御システムは、所定空間に配置される複数の空気調和装置及び複数の照明装置と、所定空間における１又は複数の人の位置及び人の数を検知する人検知手段と、人検知手段により検知される１又は複数の人の位置及び人の数に応じて複数の空気調和装置それぞれを制御する空気調和装置制御手段と、人検知手段により検知される１又は複数の人の位置及び人の数に応じて複数の照明装置それぞれを制御する照明制御装置手段と、を備える。これにより、所定空間における人の位置及び人の数に応じて、該所定空間の環境を調整することができる。具体的には、所定空間における人の位置及び人の数に応じて、空気調和装置により該所定空間における換気や温度調整を行うと共に、照明装置により該所定空間における明るさを調整する。好ましくは、人の位置に最も近い位置に配置される空気調和装置により換気や温度の調整を行い、人の位置に最も近い位置に配置される照明装置により明るさを調整する。
【０００９】
（２）  前記人検知手段は、前記所定空間に含まれる所定エリアにおける人の位置及び人の数を検知可能であり、前記空気調和装置制御手段は、前記人検知手段により検知される前記所定エリアにおける人の位置及び人の数により、前記所定エリア及び／又は該所定エリアに隣接するエリアに配置される前記複数の空気調和装置における所定の１又は複数の空気調和装置を制御し、前記照明装置制御手段は、前記人検知手段により検知される前記所定エリアにおける人の位置及び人の数により、前記所定エリア又は該所定エリアに隣接するエリアに配置される前記複数の照明装置における所定の１又は複数の照明装置を制御する（１）に記載の電気機器制御システム。
【００１０】
（２）の発明における電気機器制御システムは、人検知手段が、所定空間に含まれる所定エリアにおける人の位置及び人の数を検知可能である。そして、空気調和装置制御手段が、人検知手段により検知される所定エリアにおける人の位置及び人の数により、所定エリア及び／又は所定エリアに隣接するエリアに配置される複数の空気調和装置における所定の１又は複数の空気調和装置を制御する。更に、照明装置制御手段が、検知手段により検知される所定エリアにおける人の位置及び人の数により、所定エリア又は該所定エリアに隣接するエリアに配置される複数の照明装置における所定の１又は複数の照明装置を制御する。これにより、所定エリアにごとに、人の位置及び人の数に応じた空気調和装置及び照明装置の制が可能であると共に、簡易なセンサやプログラムにより細やかな制御を行うことができる。
【００１１】
（３）  前記所定空間には、複数の座席が配置され、前記複数の座席それぞれの位置に関する情報である座席レイアウト情報及び、前記複数の座席それぞれの利用者に関する情報である利用者情報を記憶する記憶手段を更に備え、前記人検知手段は、前記複数の座席それぞれにおける利用者の着座を検知する着座検知手段を備え、前記空気調和装置制御手段は、前記着座検知手段により着座が検知された座席における前記座席レイアウト情報及び前記利用者情報に基づいて前記空気調和装置を制御し、前記照明装置制御手段は、前記着座検知手段により着座が検知された座席における前記座席レイアウト情報に基づいて前記照明装置を制御する（１）又は（２）に記載の電気機器制御システム。
【００１２】
（３）の発明における電気機器制御システムは、所定空間には、複数の座席が配置され、複数の座席それぞれの位置に関する情報である座席レイアウト情報及び複数の座席それぞれの利用者に関する情報である利用者情報を記憶する記憶手段を更に備える。そして、人検知手段は、複数の座席それぞれにおける利用者の着座を検知する着座検知手段を備え、空気調和装置制御手段は、着座検知手段により着座が検知された座席における座席レイアウト情報及び利用者情報に基づいて空気調和装置を制御し、照明装置制御手段は、着座検知手段により着座が検知された座席における座席レイアウト情報に基づいて照明装置を制御する。これにより、所定空間に配置される複数の座席に着座した利用者に応じた空気調和装置及び照明装置の制御をすることができる。具体的には、所定の空気調和装置により利用者に適した換気や温度調整等を行うと共に、所定の照明装置により利用者が所定の作業を行うのに適した明るさに調整することができる。
【００１３】
（４）  前記所定空間には、複数の機器が更に配置され、前記記憶手段は、前記複数の機器それぞれの位置に関する情報である機器レイアウト情報及び、前記機器に関する情報である機器情報を記憶し、前記記憶手段に記憶される前記機器レイアウト情報及び前記機器情報に基づいて、前記空気調和装置からの送風による空気の流れを予測する送風路予測手段と、を備え、前記送風路予測手段は、前記座席レイアウト情報に基づいて、前記着座検知手段により着座が検知された座席の近傍における前記送風による空気の流れを予測し、前記空気調和装置制御手段は、前記着座検知手段により着座が検知された座席の近傍における、前記送風路予測手段により予測される前記送風による空気の流れに基づいて、前記空気調和装置を制御する（３）に記載の電気機器制御システム。
【００１４】
（４）の発明における電気機器制御システムは、所定空間には、複数の機器が更に配置され、記憶手段が、複数の機器それぞれの位置に関する情報である機器レイアウト情報及び機器に関する情報である機器情報を記憶し、記憶手段に記憶される機器レイアウト情報及び機器情報に基づいて空気調和装置からの送風による空気の流れを予測する送風路予測手段と、を備える。そして、送風路予測手段が、座席レイアウト情報に基づいて着座検知手段により着座が検知された座席の近傍における送風による空気の流れを予測し、空気調和装置制御手段が、送風路予測手段により予測される着座手段により着座が検知された座席の近傍における送風による空気の流れに基づいて空気調和装置を制御する。これにより、座席近傍における空気の流れを加味した空気調和装置の制御が可能である。
【００１５】
（５）  前記複数の機器は、電気機器を含み、前記機器レイアウト情報は、前記電気機器の位置に関する電気機器レイアウト情報を含み、前記機器情報は、前記電気機器の稼動状態に応じた発熱に関する発熱情報を含み、前記電気機器の稼動状態を検知する稼動状態検知手段と、前記稼動状態検知手段により検知される前記電気機器の稼動状態、前記電気機器レイアウト情報及び前記発熱情報に基づいて、前記所定空間の全部又は一部における発熱状況を予測可能な熱状況予測手段と、を更に備え、前記熱状況予測手段は、前記座席レイアウト情報に基づいて、前記着座検知手段により着座が検知された座席の近傍における発熱状況を予測し、前記空気調和装置制御手段は、前記着座検知手段により着座が検知された座席の近傍における、前記熱状況予測手段により予測される発熱状況に基づいて、前記空気調和装置を制御する（４）に記載の電気機器制御システム。
【００１６】
（５）の発明における電気機器制御システムは、複数の機器が電気機器を含み、機器レイアウト情報が電気機器の位置に関する電気機器レイアウト情報を含み、機器情報が電気機器の稼動状態に応じた発熱に関する発熱情報を含み、電気機器の稼動状態を検知する稼動状態検知手段と、前記稼動状態検知手段により検知される前記電気機器の稼動状態、前記電気機器レイアウト情報及び前記発熱情報に基づいて、所定空間の全部又は一部における発熱状況を予測可能な熱状況予測手段とを更に備える。そして、熱状況予測手段が座席レイアウト情報に基づいて着座手段により着座が検知された座席の近傍における発熱状況を予測し、空気調和装置制御手段が熱状況予測手段により予測される着座手段により着座が検知された座席の近傍における発熱状況に基づいて空気調和装置を制御する。これにより、座席の近傍における発熱状況を加味した空気調和装置の制御が可能である。
【発明の効果】
【００１７】
本発明によれば、所定空間に配置される複数の空気調和装置及び複数の照明装置を制御する電気機器制御システムを提供することができる。
【発明を実施するための最良の形態】
【００１８】
以下、本発明に係る実施形態について図面を参照しながら説明する。本発明は以下の実施形態により発明が限定されるものではない。また、以下の実施形態においては、本発明を説明するための構成要件上で、当業者が容易に想定できる構成要素も含まれている。
【００１９】
図１は、本発明の電気機器制御システムを示す概略図である。図２は、図１における所定空間である室内２の平面図である。図３は、本発明の電気機器制御システムを示すブロック図である。図４は、本発明の空気調和システムにおける実施形態を示す平面図である。図５は、座席レイアウト情報ＤＢの一例である。図６は、利用者情報ＤＢの一例である。図７は、機器レイアウト情報ＤＢの一例である。図８は、機器情報ＤＢの一例である。図９は、電気機器制御システム１における基本的な動作を示すフローチャートである。図１０は、所定空間を複数のエリアに区分けした場合における電気機器制御システム１の動作を示すフローチャートである。図１１は、各座席に着座した利用者に応じて空気調和装置を制御する電気機器制御システム１の動作を示すフローチャートである。図１２は、予測される各座席近傍の空気の流れに応じて空気調和装置を制御する電気機器制御システム１の動作を示すフローチャートである。図１３は、予測される座席近傍の発熱状況に応じて空気調和装置を制御する電気機器制御システム１の動作を示すフローチャートである。
【００２０】
「１」電気機器制御システムの全体構成
図１から図３により、本発明における電気機器制御システムの全体構成を説明する。図１に示すように、本実施形態における電気機器制御システム１は、所定空間である室内２に配置される空気調和装置３ａ、３ｂ、３ｃ、３ｄと、照明装置４ａ、４ｂ、４ｃ、４ｄと、人検知手段であるセンサ５と、空気調和装置制御手段及び照明装置制御手段であるＣＰＵ６と、後述する各種情報を記憶する記憶手段であるメモリ７と、ＣＰＵ６における制御条件やメモリ７に記憶される各種情報を追加修正可能な端末装置８と、を備える。
【００２１】
空気調和装置３ａ、３ｂ、３ｃ、３ｄは、室内２を形成する壁に沿って配置される。空気調和装置３ａ及び空気調和装置３ｄは、室内２の短手方向におけるそれぞれの壁に互いに向かいようにして配置される。空気調和装置３ｂ及び３ｃは、室内２における長手方向の一方側の壁に並列配置される。この空気調和装置３ａ、３ｂ、３ｃ、３ｄは室外機（図示せず）に接続され、室内２とは異なる空間における空気を室内２に送風する。つまり、空気調和装置３ａ、３ｂ、３ｃ、３ｄは、室内２の換気をすることができる。また、空気調和装置３ａ、３ｂ、３ｃ、３ｄは、室内２における温度、湿度、香り等を調整することができる。
【００２２】
照明装置４ａ、４ｂ、４ｃ、４ｄは、室内２を形成する天井に配置される。照明装置４ａ、４ｂ、４ｃ、４ｄは互いに略平行に配置され、それぞれ室内２における所定エリアの明るさを調整することができる。
【００２３】
センサ５は、天井の略中央に配置される。センサ５は、室内２における人の位置及び人数を検知することができる。センサ５としては、例えば、赤外線センサ等を例示できる。
【００２４】
センサ５により検知された人の位置及び数に関する情報は、ＣＰＵ６に出力される。ＣＰＵ６は、センサ５から出力された人の位置及び人の数に関する情報に基づいて、空気調和装置３ａ、３ｂ、３ｃ、３ｄを制御する。具体的には、室内２における人の位置に最も近い空気調和装置を作動させて、室内２における所定の換気や温度調整を行う。ＣＰＵ６は、更に、この空気調和装置における温度等の調整が可能な領域に存在する人の数に応じて、その送風の温度や強さを調整する。
【００２５】
また、図２に示すように、センサ５は、室内２をエリアＡ、Ｂ、Ｃ、Ｄに分割し、各エリアにおける人の数等を検知するセンサを用いることができる。そのようなセンサ５が出力する各エリアにおける人の数当の情報に応じて、ＣＰＵ６が空気調和装置３ａ、３ｂ、３ｃ、３ｄを制御するように構成することができる。具体的には、センサ５がエリアＡに人がいることを検知した場合には、ＣＰＵ６は、空気調和装置３ａを稼動させてエリアＡの換気や温度調整を行うよう構成できる。この場合、ＣＰＵ６は、必要に応じてエリアＡに隣接するエリアＢに配置される空気調和装置３ｂも同時に稼動させることができる。更に、センサ５がエリアＡに複数の人がいることを検出した場合には、ＣＰＵ６は、空気調和装置３ａからの送風を強くさせることや、温度調整のための温風の温度を高くさせることや、冷風の温度を低くさせることができる。
【００２６】
同様に、センサ５がエリアＢに人がいることを検知した場合には、ＣＰＵ６は、空気調和装置３ｂによりエリアＢにおける換気や温度調整を行うよう構成できる。また、センサ５がエリアＣに人がいることを検知した場合には、ＣＰＵ６は、空気調和装置３ｂ又は空気調和装置３ｃによりエリアＣにおける換気や温度の調整をするよう構成できる。また、センサ５がエリアＤに人がいることを検知した場合には、ＣＰＵ６は、空気調和装置３ｃ又は空気調和装置３ｄによりエリアＤにおける換気や温度の調整をするよう構成ができる。
【００２７】
ＣＰＵ６は、センサ５から出力された人の位置及び人の数に関する情報に基づいて、照明装置４ａ、４ｂ、４ｃ、４ｄを制御する。具体的には、ＣＰＵ６は、室内２における人の位置に最も近い照明装置により明るさを調整する。更には、ＣＵＰ６は、所定範囲に存在する人の数に応じて、その所定範囲に応じた照明装置における明るさを調整することができる。
【００２８】
また、室内２をエリアＡ、Ｂ、Ｃ、Ｄに分割し、ＣＰＵ６が、各エリアに人がいるか否かに応じて照明装置４ａ、４ｂ、４ｃ、４ｄを制御するよう構成できる。具体的には、センサ５が、エリアＡに人がいることを検知したことを示す情報を出力している場合には、ＣＰＵ６は、照明装置４ａを点灯させてエリアＡを明るさせるよう構成できる。この場合、ＣＰＵ６は、必要に応じてエリアＡに隣接するエリアＢに配置される照明装置４ｂを同時に点灯させることができる。更に、ＣＰＵ６は、エリアＡにおける人の位置に応じて、照明装置４ａを構成する複数の照明部ＣＬのうち、検知された人の位置に最も近い照明部ＣＬを点灯させることができる。
【００２９】
同様に、センサ５がエリアＢに人がいることを検知したことを示す情報を出力している場合には、ＣＰＵ６は、照明装置４ｂを点灯させるように制御する構成にすることができる。また、センサ５が、エリアＣに人がいることを検知したことを示す情報を出力している場合には、ＣＰＵ６は、照明装置４ｃを点灯させるように制御する構成にすることができる。また、センサ５が、エリアＤに人がいることを検知したことを示す情報を出力している場合には、ＣＰＵ６は、照明装置４ｄを点灯させるように制御する構成にすることができる。
【００３０】
メモリ７は、センサ５から出力される人の位置及び人の数に関する情報を記憶すると共に、後述する各種情報を記憶する。例えば、図２に示すように、メモリ７は、座席レイアウト情報ＤＢ７１、利用者情報ＤＢ７２、機器レイアウト情報ＤＢ７３、機器情報ＤＢ７４を記憶する。機器レイアウト情報ＤＢ７３は、電気機器レイアウト情報７５を含む。機器情報ＤＢ７４は、発熱情報７６を含む。
【００３１】
端末装置８は、少なくとも入力部８１と、表示部８３とを備える。入力部８１は、メモリ７に記憶される各種情報の内容を追加修正することができる。表示部８３は、例えば、メモリ７に記憶される各種情報の内容を表示することができる。
【００３２】
「２」実施形態
以下、本実施形態における電気機器制御システム１を詳細に説明する。
【００３３】
「２．１」室内の全体構成
図４に示すように、室内２には、座席９０〜９９と、機器であるラック５１〜５５と、電気機器であるプリンタ６１〜６４とが配置される。室内２を形成する壁には空気調和装置３ｅ〜３ｏが配置され、天井には複数の照明装置（図示せず）が配置される。室内２の空間は、連続した空間を便宜的に区分けしたエリアＥ、Ｆ、Ｇ、Ｌ、Ｍ、Ｐと、壁に区切られたエリアＨ、Ｉ、Ｊと、パーテーションにより区切られて天井側の空間が隣接するエリアＬ、Ｍ、Ｐと連続するエリアＫ、Ｎを有する。
【００３４】
図３に示すように、室内２には、人検知手段である人検知センサ１５が配置される。人検知手段としては、図１における天井に配置されるセンサ５のほか、各座席に配置され利用者が着座したことを検知する着座検知センサ１６を用いることができる。
【００３５】
他の実施形態における着座検知手段は、例えば、各座席９０〜９９に配置されるＰＣ（パーソナルコンピュータ）が起動したことを検出し、そのＰＣに応じた座席に利用者が着座したことを示す情報を出力するように構成してもよい。
【００３６】
また、図４に示すように、室内２には、プリンタ６１〜６４それぞれの稼動状況を検知する稼動状況検知手段である稼動状況検知センサ４１（図３参照）が配置される。稼動状況検知センサ４１は、プリンタ６１〜６４それぞれについて、電源のオンオフ状態、電源がオンになってからの時間やプリント動作の回数等の稼動状況を検知し、ＣＰＵ６に出力する。
【００３７】
図３に示すように、メモリ７は、室内２に配置される座席９０〜９９それぞれの位置に関する情報を含む座席レイアウト情報ＤＢ７１及び、座席９０〜９９それぞれを利用する利用者に関する情報を含む利用者情報ＤＢ７２を有する。詳細には、例えば、座席９０においては、座席レイアウト情報ＤＢ７１は座席９０を構成する座席９０ａ〜９０ｊそれぞれの位置に関する情報を有し、利用者情報ＤＢ７２は座席９０ａ〜９０ｊそれぞれを利用する利用者に関する情報を有する。座席レイアウト情報ＤＢ７１及び利用者情報ＤＢ７２の詳細な内容は、後述の通りである。
【００３８】
メモリ７は、室内２に配置されるラック５１〜５５及びプリンタ６１〜６４それぞれの位置に関する情報を含む機器レイアウト情報ＤＢ７３を有する。機器レイアウト情報ＤＢ７３は、プリンタ６１〜６４それぞれの位置に関する情報である電気機器レイアウト情報７５を含む。また、メモリ７は、ラック５１〜５５及びプリンタ６１〜６４それぞれの内容に関する情報を含む機器情報ＤＢ７４を有する。機器情報ＤＢ７４は、プリンタ６１〜６４の内容に関する情報である電気機器情報を含む。機器レイアウト情報ＤＢ７３及び機器情報ＤＢ７４の詳細な内容は、後述の通りである。
【００３９】
ＣＰＵ６は、人検知センサ１５及び着座検知センサ１６から出力される人の位置及び人の数に関する情報に応じて、空気調和装置３ｅ〜３ｏ（図４参照）及び、照明装置（図示せず）を制御する。
【００４０】
更に、ＣＰＵ６は、メモリ７に記憶される座席レイアウト情報ＤＢ７１及び利用者情報ＤＢ７２に基づいて、空気調和装置３ｅ〜３ｏ（図４参照）及び照明装置（図示せず）を制御する。
【００４１】
具体的には、ＣＰＵ６は、座席レイアウト情報ＤＢ７１により着座が検知された座席の位置に関する情報を取得し、利用者情報ＤＢ７２により着座が検知された座席における利用者に関する情報を取得し、該取得した座席の位置に関する情報及び利用者に関する情報に基づいて、空気調和装置３ｅ〜３ｏ及び照明装置（図示せず）を制御する。
【００４２】
ＣＰＵ６は、メモリ７に記憶される座席レイアウト情報ＤＢ７１、機器レイアウト情報ＤＢ７３及び機器情報ＤＢ７４から、それぞれ座席の位置、機器の位置及び機器のサイズ等の情報を取得し、空気調和装置３ｅ〜３ｏそれぞれからの送風による空気の流れを予測する。着座検知センサ１６により所定の座席における利用者の着座が検知された場合には、ＣＰＵ６は、この座席の近傍における空気の流れを予測すると共に、この予測された空気の流れに基づいて所定の空気調和装置を制御する。
【００４３】
ＣＰＵ６は、メモリ７に記憶される機器レイアウト情報ＤＢ７３に含まれる電気機器レイアウト情報７５よりプリンタ６１〜６４の位置に関する情報を取得し、機器情報ＤＢ７４に含まれる発熱情報７６よりプリンタ６１〜６４それぞれの稼動状況に応じた発熱に関する情報を取得する。そして、ＣＰＵ６は、取得した情報を基に、稼動状況検知センサ４１により取得されるプリンタ６１〜６４それぞれの稼動状況に関する情報に応じた発熱状況を予測する。
【００４４】
ＣＰＵ６は、着座検知センサ１６により利用者の着座が検知された座席の近傍における発熱状況を予測する。そして、ＣＰＵ６は、この予測された発熱状況に基づいて所定の空気調和装置を制御する。
【００４５】
更に、ＣＰＵ６は、着座が検知された座席の近傍における空気の流れの予測及び発熱状況の予測に基づいて、空気調和装置３ｅ〜３ｏを制御することができる。具体的には、ＣＰＵ６は、プリンタ６１〜６４において生じた発熱及びこの熱の移動も加味して空気調和装置３ｅ〜３ｏを制御することができる。
【００４６】
端末装置８は、少なくとも入力部８１と、表示部８３とを備える。例えば、室内２における座席や機器のレイアウトを変更した場合、席替えにより各座席における利用者が変更した場合、更には新たな機器を配置した場合には、端末装置８によりメモリ７に記憶される各種情報の内容を変更することができる。
【００４７】
「２．２」各種データベース
図５から図８により、メモリ７に記憶されるＤＢ等について説明する。図５は、座席レイアウト情報ＤＢ７１の一例の座席Ｎｏ．―座席レイアウト情報テーブル９７０である。座席Ｎｏ．―座席レイアウト情報テーブル９７０は、座席Ｎｏ．９７１と、座席レイアウト情報９７２とを含む。座席レイアウト情報９７２は、室内２における座席Ｎｏ．９７１の座標９７３により規定される。
【００４８】
図６により、座席を利用する利用者の情報を有するＤＢについて説明する。図６は、各座席を利用する利用者の情報を有する利用者情報ＤＢ７２の一例の利用者情報テーブル９８０である。利用者情報テーブル９８０は、ＩＤ９８１と、座席９８２と、職種９８３と、喫煙９８４と、嫌煙９８５と、隣席者９８６と、その他９８７とを含む。
【００４９】
ＩＤ９８１は、利用者を識別する識別番号等である。座席９８２は、座席を識別する識別記号等である。この座席のレイアウト情報は、上述の座席レイアウト情報ＤＢ７１から適宜抽出することができる。職種９８３は、利用者の職種を示す。職種９８３により、例えば、内勤か外勤かにより、所定空間で作業等する時間や仕事の種類も異なるため、同じ室内２にいても快適・不快の感じ方が異なる。このため、利用者の職種に鑑みながら換気や温度調整をすることが好ましい。
【００５０】
喫煙９８４は、各利用者が喫煙をするか否かを示す。嫌煙９８５は、各利用者が嫌煙か否かを示す。隣席者９８６は、各利用者の隣に座る利用者を識別できる座席情報やＩＤ情報を示す。ＣＰＵ６は、隣席者９８６の情報により、隣席者からの各種影響を考慮した香りの放出や空気調和をさせることができる。例えば、所定の利用者が嫌煙者であり、この利用者の隣席者が喫煙者である場合には、ＣＰＵ６は、喫煙者とは反対の側から送風可能な空気調和装置を稼動させるよう制御することができる。
【００５１】
図７は、電気機器レイアウト情報７５を含む機器レイアウト情報ＤＢ７３の一例の機器Ｎｏ．―機器レイアウト情報テーブル９９０である。
【００５２】
機器Ｎｏ．―機器レイアウト情報テーブル９９０は、機器Ｎｏ．９９１と、機器レイアウト情報９９２とを含む。機器レイアウト情報９９２は、室内２における座席Ｎｏ．９７１の座標９９３により規定される。機器レイアウト情報は、例えば、ＣＰＵ６の送風路予測等（図３参照）に利用される。
【００５３】
機器Ｎｏ．―機器レイアウト情報テーブル９９０は、電気機器レイアウトＤＢ７５における機器Ｎｏ．―電気機器レイアウト情報テーブル９９０Ａを含む。電気機器レイアウト情報は、例えば、図３におけるＣＰＵ６の熱状況予測に利用される。
【００５４】
図８は、電気機器情報を含む機器情報ＤＢ７４の一例の機器Ｎｏ．―機器情報テーブル９９５である。機器Ｎｏ．―機器情報テーブル９９５は、機器Ｎｏ．９９１と、機器情報９９７とを含む。機器情報９９７は、名称９９６と、サイズ９９８と、発熱情報９９９とを含む。機器Ｎｏ．―機器情報テーブル９９５は、電気機器の発熱情報を有する機器Ｎｏ．―電気機器情報テーブル９９５Ａを含む。
【００５５】
名称９９６は、電気機器を含む機器の種類である。サイズ９９８は、電気機器を含む機器の高さ、幅及び奥行き等である。発熱情報９９９は、電気機器の稼動状況に応じた発熱状況に関する情報である。発熱情報９９９は、例えば、電源がオンにされてから所定時間が経過した場合の発熱状況や、所定の動作をした場合における発熱状況等の発熱に関する情報である。
【００５６】
サイズ９９８は、例えば、図３におけるＣＰＵ６の送風路予測に利用される。発熱情報９９９は、図３におけるＣＰＵ６の熱状況予測に利用される。
【００５７】
「２．３」電気機器制御システムの動作
図９から図１３に示すフローチャートにより、電気機器制御システム１の動作を説明する。
【００５８】
図９は、電気機器制御システム１における基本的な動作を示すフローチャートである。まず、人検知センサ１５（図３参照）は、室内２における人の位置及び人の数を検知し、ＣＰＵ６に出力する（ステップＳＴ１１０）。
【００５９】
人検知センサ１５により室内２における人の存在が検知された情報を受信した場合（ステップＳＴ１２０）、ＣＰＵ６は、空気調和装置３ｅ〜３ｏ及び、照明装置（図示せず）を制御する。具体的には、ＣＰＵ６は、人検知センサ１５により検知された人の位置に最も近い照明装置の電源をオンにさせ、その照明装置を点灯させて、人が所定の作業を行うことができるようにする（ステップＳＴ１３０）。
【００６０】
そして、ＣＰＵ６は、人検知センサ１５により検知された人の位置に最も近い空気調和装置の電源をオンにさせて、その空気調和装置を稼動させる（ステップＳＴ１４０）。
【００６１】
更に、ＣＰＵ６は、人検知センサ１５により検知された人の数に応じて、空気調和装置の運転条件を調整する（ステップＳＴ１５０）。具体的には、上記稼動した空気調和装置の近傍における人の数に応じて、該空気調和装置の運転条件がＣＰＵ６によって調整される。
【００６２】
図１０は、室内２を複数のエリアに区分けした場合における電気機器制御システム１の動作を示すフローチャートである。まず、人検知センサ１５は、室内２に含まれるエリアＥ〜Ｐそれぞれにおける人の位置及び人の数を検知し、ＣＰＵ６に出力する（ステップＳＴ２１０）。
【００６３】
人検知センサ１５により各エリアにおいて人の存在が検知された情報を受信した場合（ステップＳＴ２２０）、ＣＰＵ６は、空気調和装置３ｅ〜３ｏ及び、照明装置（図示せず）を制御する。具体的には、ＣＰＵ６は、人検知センサ１５により検知された人の位置におけるエリア又はこれに隣接するエリアに配置される照明装置の電源をオンにさせて、その照明装置を点灯させる（ステップＳＴ２３０）。
【００６４】
また、ＣＰＵ６は、人検知センサ１５により検知された人の位置を含むエリア又はこれに隣接するエリアに配置される空気調和装置の電源をオンにさせて、その空気調和装置を稼動させる（ステップＳＴ２４０）。
【００６５】
更に、人検知センサ１５により検知された人の数に応じて、空気調和装置の運転条件を調整する（ステップＳＴ２５０）。具体的には、所定のエリアにおける人の数に応じて空気調和装置を制御する。
【００６６】
図１１は、各座席に着座した利用者に応じて空気調和装置を制御する電気機器制御システム１の動作を示すフローチャートである。
【００６７】
まず、着座検知センサ１６（図３参照）は、室内２における座席９０〜９９それぞれについて利用者の着座を検知し、ＣＰＵ６に出力する（ステップＳＴ３１０）。詳細には、座席９０〜９２については、座席９０ａ〜９０ｊ、座席９１ａ〜９１ｊ、座席９２ａ〜９２ｊにおける利用者の着座を検知する。
【００６８】
ＣＰＵ６は、着座が検知された座席のレイアウト情報に基づいて、該座席の上方に配置される照明装置（図示せず）の電源をオンにさせて、その照明装置を点灯させる（ステップＳＴ３２０）。
【００６９】
更に、ＣＰＵ６は、着座が検知された座席のレイアウト情報に基づいて、該座席の近傍に配置される空気調和装置の電源をオンにさせて、その空気調和装置を稼動させる（ステップＳＴ３３０）。
【００７０】
そして、ＣＰＵ６は、着座が検知された座席の利用者に関する情報である利用者情報に基づいて、空気調和装置を制御する（ステップＳＴ３４０）。例えば、利用者の職種９８３により、利用者の職種が営業である場合には、温度調整を強くするように空気調和装置を制御することができる。また、例えば、喫煙９８４及び嫌煙９８５により、利用者が嫌煙家であり、一方の隣席者が喫煙者である場合には、この喫煙者である隣席者の側とは反対側に配置される空気調和装置を強く稼動させるよう制御することができる。
【００７１】
図１２は、予測される各座席近傍の空気の流れに応じて空気調和装置を制御する電気機器制御システム１の動作を示すフローチャートである。
【００７２】
まず、着座検知センサ１６（図３参照）は、室内２における座席９０〜９９それぞれについて利用者の着座を検知する（ステップＳＴ４１０）。詳細には、座席９０〜９２については、座席９０ａ〜９０ｊ、座席９１ａ〜９１ｊ、座席９２ａ〜９２ｊにおける利用者の着座を検知する。
【００７３】
ＣＰＵ６は、着座が検知された座席のレイアウト情報に基づいて、該座席の上方に配置される照明装置（図示せず）の電源をオンにさせて、その照明装置を点灯させる（ステップＳＴ４２０）。
【００７４】
更に、ＣＰＵ６は、着座が検知された座席のレイアウト情報に基づいて、該座席の近傍に配置される空気調和装置の電源をオンにさせて、その空気調和装置を稼動させる（ステップＳＴ４３０）。
【００７５】
そして、ＣＰＵ６は、図３における座席レイアウト情報ＤＢ７１、機器レイアウト情報ＤＢ７３及び機器情報ＤＢ７４に基づいて、空気調和装置を制御する。詳細には、機器レイアウト情報及び機器情報から、所定の空気調和装置からの送風による空気の流れを予測すると共に、座席レイアウト情報から該座席の近傍における空気の流れを予測する。
【００７６】
そして、所定の座席近傍にける空気の流れの予測及び利用者情報ＤＢ７２からの利用者情報に基づいて、ＣＰＵ６は、空気調和装置を制御する（ステップＳＴ４４０）。例えば、所定の座席において、稼動している空気調和装置からの送風が届かないことが予測された場合には、該所定の座席に送風が届くように他の空気調和装置を稼動させることができる。
【００７７】
図１３は、予測される座席近傍の発熱状況に応じて空気調和装置を制御する電気機器制御システム１の動作を示すフローチャートである。
【００７８】
着座検知センサ１６（図３参照）により、室内２における座席９０〜９９それぞれについて利用者の着座を検知する（ステップＳＴ５１０）。詳細には、座席９０〜９２については、座席９０ａ〜９０ｊ、座席９１ａ〜９１ｊ、座席９２ａ〜９２ｊにおける利用者の着座を検知する。
【００７９】
ＣＰＵ６は、着座が検知された座席のレイアウト情報に基づいて、該座席の上方に配置される照明装置（図示せず）の電源をオンにさせて、その照明装置を点灯させる（ステップＳＴ５２０）。
【００８０】
更に、ＣＰＵ６は、着座が検知された座席のレイアウト情報に基づいて、該座席の近傍に配置される空気調和装置の電源をオンにさせて、その空気調和装置を稼動させる（ステップＳＴ５３０）。
【００８１】
ＣＰＵ６は、図３における座席レイアウト情報ＤＢ７１、機器レイアウト情報ＤＢ７３及び機器情報ＤＢ７４に基づいて、空気調和装置を制御する。詳細には、ＣＰＵ６は、電気機器レイアウト情報及び電気機器情報から、室内における発熱状況を予測すると共に、座席レイアウト情報から該座席の近傍における発熱状況を予測する。
【００８２】
そして、この予測された座席近傍の発熱状況及び利用者情報に基づいて、ＣＰＵ６は、空気調和装置を制御する（ステップＳＴ５４０）。例えば、所定の座席近傍に配置される電気機器が発熱している場合には、該電気機器の近くに配置される空気調和装置からの送風を強くするよう制御することができる。
【００８３】
また、上述の通り、室内２はエリアＥからエリアＰを含む。ここで、実施形態の一例として、利用者がエリアＥに配置される座席のいずれかに着座した場合における電気機器制御システム１の動作を説明する。
【００８４】
エリアＥには、座席９０ａ、９０ｂ、９０ｃ、９０ｆ、９０ｇ、９０ｈと、プリンタ６１、６２と、ラック５５の一部とが配置される。このエリアＥには、空気調和装置３ｅ及び３ｏが配置される。
【００８５】
エリアＥに配置される空気調和装置３ｅ及び３ｏは、座席９０ａ、９０ｂ、９０ｃ、９０ｆ、９０ｇ、９０ｈのいずれかにおいて着座検知センサ（図示せず）により利用者の着座が検知された場合に、ＣＰＵ６によって所定条件で稼動するよう制御される。
【００８６】
そして、ＣＰＵ６は、座席レイアウト情報ＤＢ７１及び利用者情報ＤＢ７２から利用者の位置及び利用者に関する情報を取得し、該取得した利用者の位置及び利用者に関する情報に基づいて空気調和装置３ｅ及び３ｏを制御する。利用者に関する情報に基づいた制御の具体例は、上述の通りである。
【００８７】
ＣＰＵ６は、更に、機器レイアウト情報ＤＢ７３よりプリンタ６１、６２の位置及び、ラック５５の位置に関する情報を取得し、機器情報ＤＢ７４よりプリンタ６１、６２の稼動状態に応じた発熱情報及びラック５５のサイズ等の情報を取得する。そして、ＣＰＵ６は、これら取得した情報から空気調和装置３ｅ及び３ｏからの送風による空気の流れを予測すると共に、プリンタ６１、６２の発熱状況を予測する。
【００８８】
これにより、ＣＰＵ６は、着座が検知された座席の近傍における空気の流れ及び発熱の状況を予測しながら、空気調和装置３ｅ及び３ｏから吹き出される送風の温度や強さを調整する。例えば、ＣＰＵ６は、空気調和装置３ｏからの送風が、距離的に座席９０ｃの近傍に届きにくいことを予測し、座席９０ｃの利用者のために空気調和装置３ｅを稼動させる。また、例えば、ＣＰＵ６は、プリンタ６１、６２が稼動している場合には、座席９０ａの近傍は他の座席よりも温度が高いと予測し、空気調和装置３ｏを強めに稼動させる。
【００８９】
また、他のエリアとして、例えば、利用者がエリアＰに配置されるいずれかの座席に着座した場合における電気機器制御システム１の動作を説明する。エリアＰには、座席９０ｄ、９０ｅ、９０ｉ、９０ｊと、座席９１ｄ、９１ｅ、９１ｉ、９１ｊと、座席９２ｄ、９２ｅ、９２ｉ、９２ｊと、ラック５５の一部と、ラック５４と、ラック５３と、ラック５２の一部とが配置される。このエリアＰには、空気調和装置３ｎが配置される。
【００９０】
エリアＰに配置される空気調和装置３ｎは、座席９０ｄ、９０ｅ、９０ｉ、９０ｊと、座席９１ｄ、９１ｅ、９１ｉ、９１ｊと、座席９２ｄ、９２ｅ、９２ｉ、９２ｊとのいずれかにおいて着座検知センサ（図示せず）により利用者の着座が検知された場合に、ＣＰＵ６によって所定条件で稼動するよう制御される。
【００９１】
ＣＰＵ６は、座席レイアウト情報ＤＢ７１及び利用者情報ＤＢ７２から、利用者の位置及び利用者に関する情報を取得し、該取得した利用者の位置及び利用者に関する情報に基づいて空気調和装置３ｎを制御する。利用者に関する情報に基づいた制御の具体例は、上述の通りである。
【００９２】
ＣＰＵ６は、更に、機器レイアウト情報ＤＢ７３よりラック５２、５３、５４、５５の位置に関する情報を取得し、機器情報ＤＢ７４よりラック５２、５３、５４、５５のサイズ等に関する情報を取得する。そして、ＣＰＵ６は、これら取得した情報から空気調和装置３ｎからの送風による空気の流れを予測する。
【００９３】
これにより、ＣＰＵ６は、着座が検知された座席の近傍における空気の流れを予測しながら、空気調和装置３ｎの稼動条件を調整する。例えば、ＣＰＵ６は、空気調和装置３ｎからの送風がラック５５に遮られて座席９０ｅの近傍に届きにくいことを予測し、座席９０ｅの利用者のために空気調和装置３ｌを稼動させる。また、例えば、ＣＰＵ６は、空気調和装置３ｎからの送風が、距離的に遠いため座席９２ｊの近傍に届きにくいことを予測し、座席９２ｊの利用者のために空気調和装置３ｋを稼動させる。
【００９４】
このように、電気機器制御システム１は、室内２に配置される複数の空気調和装置及び複数の照明装置を制御する。
【図面の簡単な説明】
【００９５】
【図１】本発明の電気機器制御システムを示す概略図である。
【図２】図１における所定空間である室内２の平面図である。
【図３】本発明の電気機器制御システムを示すブロック図である。
【図４】本発明の空気調和システムにおける実施形態を示す平面図である。
【図５】座席レイアウト情報ＤＢの一例である。
【図６】利用者情報ＤＢの一例である。
【図７】機器レイアウト情報ＤＢの一例である。
【図８】機器情報ＤＢの一例である。
【図９】電気機器制御システム１における基本的な動作を示すフローチャートである。
【図１０】所定空間を複数のエリアに区分けした場合における電気機器制御システム１の動作を示すフローチャートである。
【図１１】各座席に着座した利用者に応じて空気調和装置を制御する電気機器制御システム１の動作を示すフローチャートである。
【図１２】予測される各座席近傍の空気の流れに応じて空気調和装置を制御する電気機器制御システム１の動作を示すフローチャートである。
【図１３】予測される座席近傍の発熱状況に応じて空気調和装置を制御する電気機器制御システム１の動作を示すフローチャートである。
【符号の説明】
【００９６】
１      電気機器制御システム
２      室内
３ａ    空気調和装置
３ｂ    空気調和装置
３ｃ    空気調和装置
３ｄ    空気調和装置
４ａ    照明装置
４ｂ    照明装置
４ｃ    照明装置
４ｄ    照明装置
５      人検知センサ
６      ＣＰＵ
７      メモリ
８      端末装置
【図１】
2008304104.tif 000003
【図２】
2008304104.tif 000004
【図３】
2008304104.tif 000005
【図４】
2008304104.tif 000006
【図５】
2008304104.tif 000007
【図６】
2008304104.tif 000008
【図７】
2008304104.tif 000009
【図８】
2008304104.tif 000010
【図９】
2008304104.tif 000011
【図１０】
2008304104.tif 000012
【図１１】
2008304104.tif 000013
【図１２】
2008304104.tif 000014
【図１３】
2008304104.tif 000015